(57)【特許請求の範囲】
【請求項１】
軒樋保持具本体と支持体とから構成される軒樋支持具において、
前記軒樋保持具本体は、取付部と、この取付部から屋外方向に突出した腕部とからなり、腕部の屋外側先端部に屋外側耳保持部と、この屋外側耳保持部の屋内側に屋内側耳保持部とが設けられ、取付部には、背面に屋内側に突出した上側係止突片と下側係止突片と、この上側係止突片と下側係止突片の先端部に、それぞれ向い合う方向に突出している上側係止爪と下側係止爪とが設けられ、
前記支持体は、ほぼ水平方向に長い長尺体であり、この支持体には屋外側面から屋外方向に突出している長手方向に沿った差込突片と、この差込突片の先端に上下方向に突出している係止部とが設けられ、
取付部の上側係止突片と下側係止突片の間に支持体の係止部が差し込まれ、上側係止爪と下側係止爪とで差込突片が押圧された状態に、上側係止爪と下側係止爪が係止部に係止されて、軒樋保持具本体が支持体に止着されていることを特徴とする軒樋支持具。
【請求項２】
軒樋保持具本体の取付部の背面に突出している上側係止突片と下側係止突片の少なくともどちらかが１個以上設けられ、上側係止突片と下側係止突片が互い違いになされていることを特徴とする請求項１記載の軒樋支持具。
【発明の詳細な説明】
【０００１】
【発明の属する技術分野】
本発明は、軒先に取着固定されて軒樋を保持する軒樋支持具に関する。
【０００２】
【従来の技術】
従来、軒先への軒樋を保持する軒樋支持具には種々な構造のものがある。
軒樋支持具の取付強度と取付安定性が向上する軒樋の軒樋支持具として、実公平４−２０４６３号公報、実開平５−３０３２０号公報に記載の軒樋支持具が知られている。
【０００３】
実公平４−２０４６３号公報記載の軒樋支持具は、図４に示すように、軒樋保持具本体５０と支持体５１とからなり、軒樋保持具本体５０は、段部を有する板状の取付部５４と、この取付部５４から屋外方向に立設された腕部５２とで構成され、この取付部５４には、段部を境に上側に差込突片５３と、下側に支持体の前面が当接する当接部５５と軒樋の背壁を当接支持する支持部５６と、下端部に釘孔５７とが設けられ、支持体５１は、前面に底広溝５８が長手方向に沿って設けられ、この底広溝は、溝上面から下方に突設された突出片５９と溝下面とで形成され、軒樋保持具本体５０の取付部５４の上側の差込突片５３が支持体５１の底広溝５８に挿着され、取付部５４の下側の当接部５５が支持体５１の前面にほぼ全面当接し、取付部５４の下端部の釘孔５７に釘を差込み、支持体５１に打ちつけて取付部５４を支持体５１に固着させ、軒樋の背壁を当接支持してなるものである。
【０００４】
この軒樋支持具は、軒樋保持具本体５０の取付部５４の上側の差込突片５３が支持体５１の底広溝５８に挿着され、取付部５４の下側の当接部５５が支持体５１の前面にほぼ全面当接し、取付部５４の下端部の釘孔５７に釘を差込み、支持体５１に打ちつけているから、取付強度と取付安定性が向上し、しっかりと取付部５４を支持体５１に固着することができるものである。
【０００５】
又、実開平５−３０３２０号公報に記載の軒樋支持具は、支持体の両側部にＬ字状に曲折された差込突片を突出してなる係止部と、軒樋を支持する腕部の基端部に設けられた取付部の両側上下端部に差込突片に係止すべきＬ字状に曲折された係止突片を設けるとともにその中央部に支持体を押圧すべきバネ板を設けてなる軒樋保持具本体とからなるものである。
【０００６】
この軒樋支持具は、取付部の係止突片が支持体の係止部で係止されて、取付部の背面のバネ板で支持体を押圧して、施工後軒樋の揺動のないものにして、軒樋保持具本体の取付に際しての選定等施工が自由にできるものである。
【０００７】
【発明が解決しようとする課題】
しかしながら、実公平４−２０４６３号公報に記載の軒樋支持具は、支持体５１を軒先に取り付けた後、所定の間隔を隔てて、軒樋保持具本体５０の取付部５４の上側の差込突片５３を支持体５１の底広溝５８に挿着し、取付部５４の下端部の釘孔５７に釘を差込み、支持体５１に打ちつけて取付部５４を支持体５１に固着している。このため、この軒樋支持具を軒先へ取り付ける場合、この釘打ち作業が１つの軒樋支持具に１回必要となり、かなりの軒樋支持具取付箇所で釘打ち作業が必要で、手間がかかり取付作業工数が増えるという問題があった。
【０００８】
実開平５−３０３２０号公報に記載の軒樋支持具は、支持体に軒樋保持具本体を取り付ける際、カーテンレールに取付金具を取り付けるときと同じように、支持体の端から順次、支持体の係止部に軒樋保持具本体の係止突片を差し込んで取り付けて、必要な場所に順次スライドさせながら移動させて、所定の位置に軒樋支持具を取り付けなければならず、係止突片を支持体の端に差し込み、必要な場所まで順次移動させるのに手間がかかり取付作業工数が増えるという問題があった。
【０００９】
そこで、本発明の目的は、上記問題に着目してなされたもので、必要な場所での選定等施工が簡単にでき、軒樋支持具の釘打ち作業を必要とせず、簡単に取付けができる軒樋支持具を提供するものである。
【００１０】
【課題を解決するための手段】
本発明は上記の目的を達成するためになされたもので、本発明の請求項１記載の発明は、軒樋保持具本体と支持体とから構成される軒樋支持具において、軒樋保持具本体は、取付部と、この取付部から屋外方向に突出した腕部とからなり、腕部の屋外側先端部に屋外側耳保持部と、この屋外側耳保持部の屋内側に屋内側耳保持部とが設けられ、取付部には、背面に屋内側に突出した上側係止突片と下側係止突片と、この上側係止突片と下側係止突片の先端部に、それぞれ向い合う方向に突出している上側係止爪と下側係止爪とが設けられ、支持体は、ほぼ水平方向に長い長尺体であり、この支持体には屋外側面から屋外方向に突出している長手方向に沿った差込突片と、この差込突片の先端に上下方向に突出している係止部とが設けられ、取付部の上側係止突片と下側係止突片の間に支持体の係止部が差し込まれ、上側係止爪と下側係止爪とで差込突片が押圧された状態に、上側係止爪と下側係止爪が係止部に係止されて、軒樋保持具本体が支持体に止着されているものである。
【００１１】
本発明の請求項２記載の発明は、軒樋保持具本体の取付部の背面に突出している上側係止突片と下側係止突片の少なくともどちらかが１個以上設けられ、上側係止突片と下側係止突片が互い違いになされているものである。
【００１２】
軒樋保持具本体の取付部の背面に突出した上側係止突片と下側係止突片間の垂直長さを、支持体の差込突片の先端に上下方向に突出している係止部の垂直方向の長さにほぼ等しいか若干大きくしておくと、上側係止突片と下側係止突片間に支持体の差込突片の係止部を押し込むとき、係止部が上側係止突片と下側係止突片内の内側面に当たらず、容易に係止部を押し込むことができので好ましい。
又、差込突片の先端に上下方向に突出している係止部の垂直方向の長さを、上側係止爪と下側係止爪間の長さより長くしておくと、上側係止爪と下側係止爪が係止部の屋内側面にひっかかり係止し、軒樋保持具本体が支持体から抜けなくなるので、好ましい。
【００１３】
又、上側係止突片と下側係止突片の突出長さは、係止部の水平方向の長さとほぼ同じ長さにしておくと、係止部を上側係止突片と下側係止突片間に差し込んだ時、上側係止突片と下側係止突片内で係止部ががたつかないので、好ましい。
【００１４】
又、本発明において、上側係止突片、下側係止突片どちらかを他方より１個多くしておくと、上側係止突片と下側係止突片で差込突片をしっかりと押さえつけることができるので好ましい。例えば、図１の（ロ）に示すように、上側係止突片を２個、下側係止突片を１個を互い違いにし、２個の上側係止突片の間に１個の下側係止突片を設けると、上側係止突片と下側係止突片で差込突片をしっかりと押さえつけることができる。
【００１５】
本発明の軒樋支持具の材質は、合成樹脂、金属等適宜でよいが、例えば、合成樹脂の中でも、塩化ビニル樹脂が軽量、防錆の点でよく、可撓性の点で、ポリカーボネート樹脂が好ましい。
本発明の軒樋支持具の軒樋保持具本体と支持体をそれぞれ射出成形法で製造すると、軒樋保持具本体は腕部と屋内・屋外側耳保持部とが、支持体は取付部と挟持腕とが一体成形できるので、好ましい。
【００１６】
支持体のほぼ中央部で差込突片の近傍上部に長手方向に沿って係止溝が設けられていると、取付部の上側係止突片と下側係止突片間に、支持体の差込突片の先端部の係止部を差し込む時、図３に示すように、先に、取付部の上側係止突片の先端部の上側係止爪を、支持体の差込突片の先端の係止部に差し込んで、係止部に上側係止爪を引っかけて、下方向に回動させて、取付部の下側係止突片の先端部の下側係止爪を、支持体の差込突片の先端の係止部に差し込むと、差し込み易くなるので、都合がよい。
又、このとき、上側係止爪と下側係止爪の屋内側面を屋内側面が広くなるように傾斜をつけておき、係止部の先端部をこの傾斜に対応させた傾斜面にさせておくと、係止部を上側係止爪と下側係止爪間に差し込みやすくなるので、都合がよい。
【００１７】
（作用）
請求項１記載の本発明の軒樋支持具の使用方法を説明しながら、作用を説明する。
先ず、支持体を軒先に止着する。
次に、図３に示すように、取付部の背面に屋内側に向けて上側係止突片の先端部の上側係止爪を、支持体の差込突片の先端の係止部に当てながら、取付部を斜めにして、上側係止突片の先端部の上側係止爪を支持体の差込突片の先端の係止部に押し込んで、上側係止爪を係止部に引っかけて、下方向に回動させて、取付部の下側係止突片の先端部の下側係止爪を、支持体の差込突片の先端の係止部に押し込む。
次に、軒樋保持具本体の腕部の屋外側先端部の屋外側耳保持部に、軒樋の屋外側耳を、屋内側の屋内側耳保持部に軒樋の屋内側耳を嵌め込んで、軒樋を軒樋保持具本体に取り付ける。
【００１８】
このようにすると、上側係止爪と下側係止爪とが設けられているから、差込突片を上側係止爪と下側係止爪間の押し込むと、差込突片が上側係止爪と下側係止爪とで挟まれ、上側係止爪と下側係止爪とで差込突片を挟圧することができる。
又、差込突片の先端の係止部とが設けられ、係止部の垂直方向の長さが、上側係止爪と下側係止爪間の長さより長くされているから、上側係止爪と下側係止爪が係止部の屋内側面に当たり、引っかけられて、上側係止爪と下側係止爪を係止部で係止することができる。その結果、軒樋保持具本体を支持体に止着することができる。
【００１９】
又、請求項２記載の本発明では、上側係止突片と下側係止突片の少なくともどちらかが１個以上設けられ、上側係止突片と下側係止突片が互い違いになされているから、上側係止突片と下側係止突片で差込突片を強固にしっかりと押さえつけることができる。例えば、図１の（ロ）に示すように、上側係止突片を２個、下側係止突片を１個を互い違いにし、２個の上側係止突片の間に１個の下側係止突片を設け、上側係止突片と下側係止突片間に差込突片の先端の係止部を差し込み、上側係止突片の先端の上側係止爪と下側係止突片の先端の下側係止爪とで差込突片が挟圧されて、差込突片を強固にしっかりと押さえつけることができる。
【００２０】
【発明の実施の形態】
本発明の実施例を図１〜図３に基づいて説明する。
図１の（イ）は軒樋軒樋保持具本体の斜視説明図、（ロ）は軒樋軒樋保持具本体の取付部のＡからの矢視図、（ハ）は軒樋軒樋保持具本体の取付部のＢからの矢視図、（ニ）は支持体の斜視説明図、（ホ）は支持体の側面図、（ヘ）は軒樋支持具の斜視説明図、図２は上側係止爪と下側係止爪間に差込突片の係止部が押し込まれている状態を示す説明図、図３は上側係止突片の先端部の上側係止爪を、支持体の差込突片の先端の係止部に当てながら、取付部の上側係止爪と下側係止爪間に差込突片の先端の係止部を押し込む状態を示す説明図である。
【００２１】
図１において、Ｎは合成樹脂製の軒樋支持具であり、この軒樋支持具Ｎは、軒樋保持具本体１と支持体２とから構成されている。
【００２２】
軒樋保持具本体１は、取付部１２と、この取付部１２から屋外方向に突出した腕部１１とからなり、腕部１１の屋外側先端部に屋外側耳保持部１５と、この屋外側耳保持部１５の屋内側に屋内側耳保持部１６とが設けられている。
取付部１２には、背面に屋内側に突出した２個の上側係止突片１３ａ、１３ａが設けられている。この２個の上側係止突片１３ａ、１３ａはほぼ水平位置に設けられている。２個の上側係止突片１３ａ、１３ａより下側に屋内側に突出している１個の下側係止突片１３ｂが設けられている。
この２個の上側係止突片１３ａ、１３ａと１個の下側係止突片１３ｂとは互い違いに設けられている。
【００２３】
２個の上側係止突片１３ａ、１３ａと１個の下側係止突片１３ｂの長さと幅はほぼ同じにされ、２個の上側係止突片１３ａ、１３ａ間の長さは、１個の下側係止突片１３ｂの水平方向の長さとほぼ同じにされている。
上側係止突片１３ａ、１３ａと下側係止突片１３ｂ間の垂直長さは、支持体２の差込突片２１（後述説明）の先端に上下方向に突出している係止部２２（後述説明）の垂直方向の長さにほぼ等しくされている。
上側係止突片１３ａ、１３ａと下側係止突片１３ｂの突出長さは、差込突片２１（後述説明）の先端に上下方向に突出している係止部２２（後述説明）の水平方向の長さとほぼ同じ長さにされている。
上側係止突片１３ａ、１３ａと下側係止突片１３ｂの先端部に、上側係止爪１４ａ、１４ａと下側係止爪１４ｂとがそれぞれ向い合う方向に突出している。
上側係止爪１４ａ、１４ａと下側係止爪１４ｂとはほぼ同じ大きさになされている。
【００２４】
支持体２は、ほぼ水平方向に長い長尺体で、支持体２の屋外側面から屋外方向に突出している長手方向に沿って設けられた差込突片２１と、この差込突片２１の先端に上下方向に突出して設けられる係止部２２と、差込突片２１の上方の支持体２の差込突片２１に沿って設けられた係止溝２３とからなる。
この支持体２には軒先に取り付けやすいように釘孔が設けられている。
差込突片２１の長さは上側係止爪１４ａ、１４ａと下側係止爪１４ｂの水平方向の長さとほぼ同じ長さにされている。
差込突片２１の先端に上下方向に突出している係止部２２の垂直方向の長さは上側係止爪１４ａ、１４ａと下側係止爪１４ｂ間の垂直長さより長く、上側係止突片１３ａ、１３ａと下側係止突片１３ｂ間の垂直長さより短くされている。
係止溝２３は支持体２のほぼ中央部で差込突片２１の近傍上部に長手方向に沿って設けられている。この係止溝２３の幅と深さは上側係止爪１４ａ、１４ａの中心軸を中心に回転できる程度にされている。
【００２５】
軒樋支持具Ｎは、取付部１２の背面の上側の２個の上側係止突片１３ａ、１３ａと、下側の１個の下側係止突片１３ｂとの間に、支持体２の差込突片２１の先端の係止部２２が差し込まれ、上側係止突片１３ａ、１３ａと、下側の１個の下側係止突片１３ｂの先端に設けられている上側係止爪１４ａ、１４ａと下側係止爪１４ｂが係止部２２の屋内側面に当たり、係止されて、軒樋保持具本体１が支持体２に止着されているものである。
【００２６】
次に、本発明の実施例の取付方法と作用について説明する。
先ず、支持体２の釘孔に釘を差し込んで、軒先の鼻隠し板に打ちつけ、軒先に支持体２を止着する。
次に、図３に示すように、取付部１２の背面に屋内側に向けて突設している上側係止突片１３ａ、１３ａの先端部の係止爪１４ａ、１４ａを、支持体２の差込突片２１の先端の係止部２２に当てながら、取付部１２を斜めにして、上側係止突片１３ａ、１３ａの先端部の上側係止爪１４ａ、１４ａを支持体２の差込突片２１の先端の係止部２２に押し込んで、上側係止突片１３ａ、１３ａの先端部の係止爪１４ａ、１４ａを係止部２２に引っかけて、下方向に回動させて、取付部１２の下側係止突片１３ｂの先端部の下側係止爪１４ｂを、支持体２の差込突片２１の先端の係止部２２に押し込む。
【００２７】
又、支持体２の差込突片２１の上方の支持体２の差込突片２１に沿って係止溝２３が設けられているから、取付部１２の上側係止突片１３ａ、１３ａと下側係止突片１３ｂ間に、支持体２の差込突片２１の先端部の係止部２２を差し込む時、図３に示すように、先に、支持体２を斜めにして、取付部１２の上側係止突片１３ａ、１３ａを、支持体２の差込突片２１の先端の係止部２２に押し込む際に、支持体２の上端部が係止溝２３の中に入るので、係止部２２に上側係止爪１４ａ、１４ａを引っかけ易くなる。
【００２８】
次に、軒樋保持具本体１の腕部１１の屋外側先端部の屋外側耳保持部１５に、軒樋の屋外側耳を、屋内側の屋内側耳保持部１６に軒樋の屋内側耳を嵌め込んで、軒樋を軒樋保持具本体１に取り付ける。
【００２９】
このようにすると、上側係止爪１４ａ、１４ａと下側係止爪１４ｂとが設けられているから、差込突片２１を上側係止爪１４ａ、１４ａと下側係止爪１４ｂ間の押し込むと、差込突片２１が上側係止爪１４ａ、１４ａと下側係止爪１４ｂとで挟まれ、上側係止爪１４ａ、１４ａと下側係止爪１４ｂとで差込突片２１を挟圧することができる。
又、差込突片２１の先端の係止部２２とが設けられ、係止部２２の垂直方向の長さが、上側係止爪１４ａ、１４ａと下側係止爪１４ｂ間の長さより長くされているから、上側係止爪１４ａ、１４ａと下側係止爪１４ｂが係止部２２の屋内側面に当たり、引っかけられて、上側係止爪１４ａ、１４ａと下側係止爪１４ｂを係止部２２で係止することができる。その結果、軒樋保持具本体１を支持体２に止着することができる。
【００３０】
上側係止突片１３ａ、１３ａと、下側係止突片１３ｂを互い違いにし、上側係止突片１３ａ、１３ａの間に下側係止突片１３ｂを設け、１３ａ、１３ａと下側係止突片１３ｂ間に差込突片２１の先端の係止部２２を差し込み、上側係止突片１３ａ、１３ａの先端の上側係止爪１４ａ、１４ａと下側係止突片１３ｂの先端の下側係止爪１４ｂとで差込突片２１が挟圧されて、差込突片２１を強固にしっかりと押さえつけることができる。
【００３１】
以上、本発明実施例を図面に基づいて説明してきたが、具体的な構成はこの実施例の限られるものではなく本発明の要旨を逸脱しない範囲の設計変更等があっても本発明に含まれる。
【００３２】
【発明の効果】
以上、説明してきたように、請求項１記載の本発明では、上側係止爪と、下側係止爪と、差込突片の先端の係止部とが設けられているから、差込突片の先端の係止部を上側係止爪と下側係止爪間の押し込むと、差込突片が上側係止爪と下側係止爪とで挟まれる。すると、上側係止爪と下側係止爪とで差込突片が挟圧され、又、上側係止爪と下側係止爪が係止部に係止されて、しっかりと軒樋保持具本体を支持体に固定することができる。
又、差込突片の先端の係止部とが設けられ、係止部の垂直方向の長さが、上側係止爪と下側係止爪間の長さより長くされているから、上側係止爪と下側係止爪が係止部の屋内側面に当たり、引っかけられて、上側係止爪と下側係止爪を係止部で係止することができる。その結果、軒樋保持具本体を支持体に止着することができる。
従って、必要な場所での選定等施工ができ、釘打ち作業を必要とせず、簡単に取付けができる。
【００３３】
請求項２記載の本発明では、上側係止突片と下側係止突片の少なくともどちらかが１個以上設けられ、上側係止突片と下側係止突片が互い違いになされているから、上側係止突片と下側係止突片で差込突片を強固にしっかりと押さえつけることができる。
【図面の簡単な説明】
【図１】本発明の実施例を示すもので、（イ）は軒樋軒樋保持具本体の斜視説明図、（ロ）は軒樋軒樋保持具本体の取付部のＡからの矢視図、（ハ）は軒樋軒樋保持具本体の取付部のＢからの矢視図、（ニ）は支持体の斜視説明図、（ホ）は支持体の側面図、（ヘ）は軒樋支持具の斜視説明図である。
【図２】本発明の実施例を示すもので、上下の係止突片と係止爪間に差込突片と係止部が押し込まれている状態を示す説明図である。
【図３】本発明の実施例を示すもので、上側係止突片の先端部の上側係止爪を、支持体の差込突片の先端の係止部に当てながら、取付部の上側係止爪と下側係止爪間に差込突片の先端の係止部を押し込む状態を示す説明図である。
【図４】従来の実施例を示すもので、軒樋支持具の斜視説明図である。
【符号の説明】
Ｎ                      軒樋支持具
１                      軒樋保持具本体
１１                    腕部
１２                    取付部
１３ａ                  上側係止突片
１３ｂ                  下側係止突片
１４ａ                  上側係止爪
１４ｂ                  下側係止爪
１５                    屋外側耳保持部
１６                    屋内側耳保持部
２                      支持体
２１                    差込突片
２２                    係止部
２３                    係止溝
５０                    軒樋保持具本体
５１                    支持体
５２                    腕部
５３                    差込突片
５４                    取付部
５５                    当接部
５６                    支持部
５７                    釘孔
５８                    底広溝
５９                    突出片
【図１】
0003688410.tif 000002
【図２】
0003688410.tif 000003
【図３】
0003688410.tif 000004
【図４】
0003688410.tif 000005